(57)【要約】【課題】背後に柱材が間隔をあけて配列された壁体構造の板壁に取り付ける手摺りにおいて、の見栄えを損なうことなく、取付強度を向上させる。【解決手段】手摺りＡは、手摺本体１５を、板壁１１に面付けする取付面１８を幅方向一側に有した固定部１６と、固定部の他側から延びる手摺棒部１７とに、樹脂等の成形材料を用いた押し出し成形によって一体に形成し、固定部には、取付面に向け凹状のねじ取付溝３０を長さ方向に縦断して設ける。そして、手摺本体のねじ取付溝３０の正面溝開口３５をシールプレート２０で塞いでねじ取付溝を覆うと共に、手摺本体の両端部にエンドキャップ２５を被せてシールプレートの両端を拘持した構成にする。【選択図】          図１
2008019582.tif 000002
【特許請求の範囲】
【請求項１】
背後に柱材が間隔をあけて配列された壁体構造の板壁に取り付ける手摺りであって、
前記板壁に面付けする取付面を幅方向一側に有した固定部と、その固定部の他側から延びる手摺棒部とに、成形材料を用いた押し出し成形によって一体に形成し、前記固定部には、前記取付面に向け凹状のねじ取付溝を長さ方向に縦断して設ける手摺本体と、
該手摺本体の前記ねじ取付溝の正面溝開口を塞いで該ねじ取付溝を覆うシールプレートと、
前記手摺本体の両端部に被せて前記シールプレートの両端を拘持するエンドキャップと、
を備えてなることを特徴とする、手摺り。
【請求項２】
前記ねじ取付溝には、更にその溝底面に、溝長さ方向に縦断する細長い穴あけガイド溝を、溝幅方向に数列並設してなることを特徴とする、請求項１に記載の手摺り。
【発明の詳細な説明】
【技術分野】
【０００１】
本発明は、背後に間柱等の柱材が間隔をあけて配列された壁体構造の板壁に取り付けるのに好適な手摺りに関する。
【背景技術】
【０００２】
従来、この種の手摺りは、通常、専用ブラケットを用いて手摺棒を板壁に取り付け、背後に配列された間柱等の柱材に固定して支える構造になっている。そのため、従来は、板壁背後の柱材位置を検知してから、たとえば図７に示すように、ブラケット１の基端側に有した固定部１ａを、間柱Ｐの位置で止めねじ２を所定のねじ挿通穴に通して捩じ込んで板壁Ｗに固着する一方、先端側の手摺受け部１ｂに手摺棒３を押し当てながら、止めねじ４を所定のねじ挿通穴に通して捩じ込み、手摺棒３を手摺受け部１ｂに固着した取付構造になっている。
【発明の開示】
【発明が解決しようとする課題】
【０００３】
ところが、従来の手摺りでは、使用時に手で握ったりして手摺棒３に加わる外力を、ブラケット１を介して間接的に間柱Ｐで受けて支える構造であるため、手摺棒３に加わる外力が十分に構造体の間柱Ｐへ伝達されず、即ち、途中のブラケット１でも受けて支えることになるため、手摺棒３に加わる外力を間柱Ｐで十分に受けて支えることができず、それだけ取付強度に乏しいという課題があった。また、ブラケット１を板壁Ｗに固着するときに、止めねじ２を、固定部１ａに有した規定のねじ挿通穴に通して捩じ込むと、この止めねじ２の捩じ込み位置が間柱位置から幅方向左右にズレで外れる虞があり、従って、その分だけ止めねじ２によるねじ止め強度に欠けることになるという課題もあった。更には、止めねじ２・４を用いてブラケット１を取り付けるため、それだけ多くの醜いねじ頭部が外部に露出し、その結果、美観上の見栄えが悪くなり、特に美観性を重視する最近の建築物では望ましくないという課題もあった。
【課題を解決するための手段】
【０００４】
上記の課題を解決すべく、請求項１に記載の発明は、たとえば以下に示す図示実施の形態のとおり、背後に間柱Ｐ等の柱材が間隔をあけて配列された壁体構造の板壁１１に取り付ける手摺りＡであって、前記板壁１１に面付けする取付面１８を幅方向一側に有した固定部１６と、その固定部１６の他側から延びる手摺棒部１７とに、成形材料を用いた押し出し成形によって一体に形成し、前記固定部１６には、前記取付面１８に向け凹状のねじ取付溝３０を長さ方向に縦断して設ける手摺本体１５と、該手摺本体１５の前記ねじ取付溝３０の正面溝開口３５を塞いで該ねじ取付溝３０を覆うシールプレート２０と、前記手摺本体１５の両端部に被せて前記シールプレート２０の両端を拘持するエンドキャップ２５と、を備えてなることを特徴とする。
【０００５】
請求項２に記載の発明は、請求項１に記載の手摺りＡにおいて、たとえば以下に示す図示実施の形態のとおり、前記ねじ取付溝３０には、更にその溝底面３１に、溝長さ方向に縦断する細長い穴あけガイド溝３０ａを、溝幅方向に並設してなることを特徴とする。
【発明の効果】
【０００６】
請求項１に記載の発明によれば、（１）手摺本体が、全体に板壁背後の柱材に固定する側の固定部と手で握る手摺棒部との一体成形であるため、使用時、手摺棒部を手で握ったりして加わる外力を直接的に構造体の柱材で常に受けて支えることができ、それだけ取付強度を飛躍的に向上させることができる。また、（２）従来の如く別途にブラケットを介さないので、止めねじの捩じ込み位置に規制を受けることがなく、ねじ取付溝の溝底面から、止めねじを間柱等の柱材に対して自由に、どこにでも固定部を通して捩じ込むこと可能であり、従って、止めねじの捩じ込み位置が柱材位置から幅方向左右にズレで外れる虞もなく、間柱等の柱材位置に応じてその高さ方向に、常に正確に止めねじが捩じ込まれ、その結果、それだけ止めねじによるねじ止め強度を向上させることができる。（３）シールプレートでねじ取付溝の正面溝開口を塞ぎ、ねじ取付溝内が外部に露出しないように覆うと共に、ねじ取付溝の両端から臨む溝開口はエンドキャップで塞ぎ、ねじ取付溝内が両端の溝開口からも外部に露出しないように覆って化粧することができ、その結果、ねじ取付溝内から止めねじの醜いねじ頭部が外部に露出するのを防止して美観上の見栄えを向上させることもできる。
【０００７】
加えて、請求項２に記載の発明によれば、手摺本体の壁体へのねじ止め時、例えばドリル等の穴あけ工具を用いてねじ取付溝の溝底面に捩じ込み用の下穴を穿設するときに、穴あけガイド溝を利用し、その穴あけガイド溝で穴あけ工具の刃先を案内して所望の捩じ込み位置に位置決めることができ、これにより、捩じ込み用の下穴を所望の捩じ込み位置にズレなく正確に且つ簡単に穿設することができ、その結果、止めねじのねじ先端を上記下穴に通して間柱等の柱材位置にズレなく正確に捩じ込むことができる。
【発明を実施するための最良の形態】
【０００８】
以下、図面を参照しつつ、本発明の最良の実施形態について説明する。
【０００９】
図１は、本発明の一例である手摺りを壁体に取り付ける状態において示す分解斜視図である。図示例の壁体１０は、手摺りＡを取り付ける板壁１１の背後に間隔をあけて間柱Ｐが配列された壁構造になっている。一方、本発明の手摺りＡは、手摺本体１５と、目隠し用のシールプレート２０と、一対のエンドキャップ２５とを用いて組み立てられる構成になっている。
【００１０】
手摺本体１５は、例えばＡＢＳ等の樹脂を、成形材料として用いた押し出し成形によって、図２に示すように長さ方向に同じ断面形状が連続した形材に一体形成され、全体に、壁体１０に固定する側の固定部１６と、固定部１６から延びる棒状の手摺棒部１７とからなる。
【００１１】
固定部１６は、板壁１１に面付けする取付面１８を幅方向一側に有した断面略台形状の台座部分１６ａと、台座部分１６ａから取付面１８に対し図中斜め上向きに延びて手摺棒部１７との間を結ぶ胴部分１６ｂとからなる。一方、手摺棒部１７は、中抜きして円筒状に成形されてなる。
【００１２】
更に、固定部１６は、台座部分１６ａと胴部分１６ｂとの間において、その傾斜した底面１９から、取付面１８に対し直交する向きに凹状のねじ取付溝３０を長さ方向に縦断して穿設し、ねじ取付溝３０の溝底面３１と取付面１８間での台座部分１６ａの肉厚を一段薄肉に形成してなる。ねじ取付溝３０には、更にその溝底面３１に、溝長さ方向に縦断する細長い穴あけガイド溝３０ａ・３０ａを、溝幅方向に２列並設してなる。穴あけガイド溝３０ａ・３０ａは、板壁１１に固定部１６の取付面１８を面付けする状態において、溝底側が取付面１８に向うに従って互いに離れる向きに縦２列に穿設してなる。加えて、ねじ取付溝３０は、向い合う開口側縁の一側に係合段部３０ｂを、他側に係合凹部３０ｃを設けてなる。
【００１３】
シールプレート２０は、例えば樹脂製で、図１に示すように、ねじ取付溝３０の長さ方向に細長く開放した正面溝開口３５の開口形状に合わせて、全体を薄板な物差し状に形成し、両側縁にねじ取付溝３０の係合段部３０ｂと係合凹部３０ｃにそれぞれ対応させて、凸条の係合突部２０ａ・２０ｂを設けてなる。
【００１４】
エンドキャップ２５は、例えば樹脂製で、手摺本体１５の端部の外形形状に合わせて、その端部に嵌合可能な異形キャップ状に形成し、周縁に嵌付リブ２５ａを有してなる。
【００１５】
さて、上述した構成部品を備えた手摺りＡでは、これを組み立てて、壁体１０の板壁１１に取り付ける場合は、板壁１１上の手摺取付位置において、背後にある間柱Ｐの位置を事前に検知する。それから、手摺本体１５には、検知した間柱位置に合わせて、ねじ取付溝３０の溝底面３１に止めねじ４０の捩じ込み位置を設定する。それから、例えばドリル等の穴あけ工具を用い、その刃先を、ねじ取付溝３０から、穴あけガイド溝３０ａに差し込んで、その穴あけガイド溝３０ａで案内して止めねじ４０の上記捩じ込み位置に位置決めしてから、穴あけ工具で穴あけガイド溝３０ａの溝底に、間柱Ｐの高さ方向に沿って縦向きに例えば２箇所、捩じ込み用の下穴を予め穿設する。しかる後、手摺本体１５を、取付面１８において板壁１１の手摺取付位置に押し当てながら、止めねじ４０のねじ先端を捩じ込み用の上記下穴に通してから、図３に示すように、止めねじ４０を、固定部１６と板壁１１を厚さ方向に貫いて間柱Ｐへと捩じ込み、手摺本体１５を、間に板壁１１を挟んで間柱Ｐに固定する。
【００１６】
次いで、手摺本体１５には、図１に鎖線で矢示する如く、その一端部側から、ねじ取付溝３０の係合段部３０ｂと係合凹部３０ｃにそれぞれ係合突部２０ａ・２０ｂを係合させてシールプレート２０を差し込む。そして、図３に示すように、シールプレート２０でねじ取付溝３０の正面溝開口３５を塞ぎ、ねじ取付溝３０内が外部に露出しないように覆って化粧する。それから、図４に示すように、手摺本体１５の両端部にそれぞれエンドキャップ２５を嵌着して被せ、それらエンドキャップ２５でシールプレート２０の両端を抜け止めして動かないように拘持する。そして、エンドキャップ２５でねじ取付溝３０の両端から臨む溝開口を塞ぎ、ねじ取付溝３０内が両端の溝開口から外部に露出しないように覆って化粧する。こうして、手摺りＡを壁体１０の手摺取付位置に取り付ける。
【００１７】
従って、以上の如く構成した図示手摺りＡでは、手摺本体１５が壁体１０に固定する側の固定部１６と手で握る手摺棒部１７とを一体成形してなるため、使用時は、常に、手摺棒部１７を手で握ったりして加わる外力を直接的に構造体の間柱Ｐで受けて支えることができる。
【００１８】
また、手摺りＡは、図５に示すように、階段の壁体１０に沿って傾けて取り付ける場合でも、前記したと同様に、例えば穴あけ工具を用い、その刃先を、手摺本体１５におけるねじ取付溝３０から穴あけガイド溝３０ａに差し込み、その穴あけガイド溝３０ａの案内で、間柱Ｐの位置と合致した止めねじ４０の捩じ込み位置に位置決めしてから、穴あけガイド溝３０ａの溝底に、間柱Ｐの高さ方向に沿って縦向きに例えば２箇所、捩じ込み用の下穴を穿設する。それから、同様に、手摺本体１５を板壁１１の手摺取付位置に押し当てながら、止めねじ４０の先端を捩じ込み用の上記下穴に通してから、止めねじ４０を固定部１６と板壁１１を貫いて間柱Ｐへと捩じ込んで、手摺本体１５を間柱Ｐに固定する。
【００１９】
なお、図６に示すように、手摺りＡを、屈曲角度が例えば９０度のコーナー壁５０に沿って取り付ける場合、本発明では、手摺本体１５・１５´を、コーナー壁５０の角度に対応させて、押し出し成形により一端面が４５度に傾斜したテーパ面１５ａ・１５ａ´となる形状の形材に形成する。そして、片面テーパ付きの手摺本体１５・１５´を２本、互いのテーパ面１５ａ・１５ａ´を突き合わせてコーナー壁５０の手摺取付位置に押し当てながら、上述したと同様に、止めねじ４０を、ねじ取付溝３０から捩じ込み用の下穴に通してから、固定部１６と板壁１１を貫いて間柱Ｐに捩じ込んで、手摺本体１５を柱材に固定する。
【図面の簡単な説明】
【００２０】
【図１】本発明の一例である手摺りを壁体に取り付ける状態において示す分解斜視図である。
【図２】手摺本体の形状を示す縦断面図である。
【図３】手摺りの壁付け状態を示す縦断面図である。
【図４】手摺りの壁付け状態を示す斜視図である。
【図５】手摺りを階段壁に取り付けた状態を示す斜視図である。
【図６】手摺りをコーナー壁に取り付けた状態を示す斜視図である。
【図７】従来の手摺りの構造を示す平面図である。
【符号の説明】
【００２１】
Ａ            手摺り
Ｐ            間柱（柱材）
１０          壁体
１１          板壁
１５          手摺本体
１６          固定部
１７          手摺棒部
１８          取付面
２０          シールプレート
２５          エンドキャップ
３０          ねじ取付溝
３０ａ        穴あけガイド溝
４０          止めねじ
【図１】
2008019582.tif 000003
【図２】
2008019582.tif 000004
【図３】
2008019582.tif 000005
【図４】
2008019582.tif 000006
【図５】
2008019582.tif 000007
【図６】
2008019582.tif 000008
【図７】
2008019582.tif 000009